(57)【要約】【課題】  学校などのように、入り口にトイレ用のスリッパやサンダルなどの履き物置き場があるトイレで、履き物を履いて用を足した後、トイレの入り口に元のようにきれいに揃えて脱ぐのはとても難しい。そこで、きれいに揃えて脱げる履き物を提供する。【解決手段】一足の履き物の左右のうち、どちらか片方の履き物の靴底の内側縁に羽根の形をした部分を付け、履き物を脱ぐ時、もう一方の履き物の内側縁で前記羽根を踏み、きれいに揃えて脱げることを特徴とする。【選択図】図１
2009056279.tif 000002
【特許請求の範囲】
【請求項１】
サンダルやスリッパの左右どちらかの内側に、羽根を付ける。
【請求項２】
サンダルやスリッパの左右どちらかの内側にＮ極の磁石、その反対側のサンダルやスリッパの内側にＳ極の磁石を付ける。
【請求項３】
サンダルやスリッパの置き場に、サンダルやスリッパのかかと部分の形をかたどった、厚みのある板状の枠を作る。
【発明の詳細な説明】
【技術分野】
【０００１】  この発明は、トイレなどで使用した後、きれいに揃えて脱ぐことができるスリッパやサンダル、以下スリッパと記す、に関するものである。
【背景技術】
【０００２】  従来、学校などのような所にある、たくさんの人が使うトイレで、入り口でスリッパを履いて用を足した後、トイレの入り口でスリッパを脱ぐとき、きれいに揃えて脱ぐのは難しかった。スリッパを脱ぐところに、スリッパの形をペンキなどでかたどり、そこに脱ぐように工夫はするが、揃えて脱ぐのは難しいものである。【０００３】
【特許文献１】  登録実用新案第３１２１６１３号
【発明の開示】
【発明が解決しようとする課題】
【０００４】  スリッパを揃えて脱ごうとしても、つい乱雑な扱いとなってしまう。揃えて脱ごうと気持ちを集中した時は、揃えて脱ぐことが可能になるが、いつもそんな集中ができるとは限らない。そこで、少しの注意できれいに揃えて脱げるスリッパを考えた。
【課題を解決するための手段】
【０００５】  左右どちらかのスリッパの内側に羽根を付け、スリッパを脱ぐ時に前記羽根をもう一方のスリッパの内側で踏んで、きれいに揃えて脱げるスリッパを作る。【０００６】  また、別の方法として磁石を使うこともできる。左右どちらかのスリッパの内側にＮ極の磁石を取り付け、もう反対側のスリッパの内側にＳ極の磁石を取り付け、２つの磁石の引き合う力で、スリッパをひっつけて固定してから、揃えて脱げるスリッパを作る。【０００７】  さらに、スリッパ本体だけでなく、スリッパを脱ぐ場所に、スリッパかかと部分の形状を立体的にかたどった枠板を置く。すると、スリッパを脱ごうとする人は、その枠板にスリッパをまず、はめて、それから脱ごうとすると脱ぎやすいので、スリッパをきれいに揃えて脱ぐことができる。
【発明の効果】
【０００８】  学校などたくさんの人が使うトイレで、入り口でスリッパを履いて用を足した後、トイレの入り口でスリッパをきれいに揃えて脱ぐことができる。次にこのスリッパを使う人が気持ちよく使える。また、見た目もきれいで、トイレの前を通る人の気分もよい。これらの事で日常生活の中に１つのしまりがつき、他の生活面にもよい影響が現れる。
【発明を実施するための最良の形態】
【０００９】  スリッパの左右のどちらに羽根を付けてもよいのだが、いま仮に、ゴム製スリッパの左側に羽根を付ける場合を考える。成形の段階で、スリッパの左側の内側に厚さ５ｍｍぐらい、巾２．５ｃｍぐらい、長さ１２ｃｍぐらいの羽根が一体化したスリッパを作る。スリッパの右側は、一般的な形状のスリッパでよい。
羽根のみを上記の寸法でゴムなどの樹脂で成形し、接着剤で後付けしてもよい。
このスリッパを使用する時は、右のスリッパの内側で、左のスリッパの内側の羽根を踏んで、揃えて脱ぐ。【００１０】  別の実施方法として、磁石を用いる。磁石は乱雑な取り扱いでも壊れないように、ゴム製磁石を使う。一般的な形状のスリッパの左右の内側にゴム製磁石を接着剤で貼り付ける。左側がＮ極なら右側にＳ極、左側がＳ極なら右側にＮ極を貼り付ける。ゴム製磁石の大きさは、１つが長さ５ｃｍ、巾２ｃｍ、厚み５ｍｍぐらいのものを使う。
ゴム製磁石の磁力が弱い時は、片方の足の内側に前後１個ずつ、左右で合計４個を使う。このスリッパを使用する時は、左右のスリッパの内側を揃えると、ゴム製磁石が引き合ってくっつくので、それから脱ぐ。【００１１】  スリッパ本体の加工だけでなく、２ｃｍぐらいの厚さの樹脂の板に１足分のスリッパのかかとの形を、奥行き４ｃｍぐらいとる。たて７ｃｍぐらいの前記の樹脂の板に１足分のスリッパのかかとの形をとり、１０ｃｍぐらい間隔をあけ次の１足分のスリッパのかかとの形をとる。前記の樹脂の枠板の横の長さは、トイレの入り口の間口に等しい長さが理想的ではあるが、スリッパ３足分９０ｃｍを１つの枠板の横の長さとし、トイレの間口に合わせて必要数を用意する。【００１２】  実際に発明を実施する時は、スリッパ本体に羽根を付けたものか、ゴム製磁石を付けたものだけを単独で使ってもよいが、スリッパのかかとの形をかたどった樹脂の枠板をトイレの入り口に置いて併用すると、スリッパを揃えてきれいに脱ぐことがより確実にできる。
【図面の簡単な説明】
【００１３】
【図１】  左側に羽根を持つ場合の本発明のスリッパの斜視図である。
【図２】  磁石を使った場合の本発明のスリッパの平面図である。
【図３】  かかと部分をかたどった枠板に、羽根を持ったスリッパを１足分はめた時の斜視図である。たて７ｃｍ×横３０ｃｍ×厚さ２ｃｍ。
【符号の説明】
【００１４】          １  スリッパ左側              ２  スリッパ右側
３  羽根                      ４  Ｎ極の磁石
５  Ｓ極の磁石                ６  かかとの形をかたどった枠板
【図１】
2009056279.tif 000003
【図２】
2009056279.tif 000004
【図３】
2009056279.tif 000005
【手続補正書】
【提出日】平成20年9月8日(2008.9.8)
【手続補正１】
【補正対象書類名】特許請求の範囲
【補正対象項目名】請求項１
【補正方法】変更
【補正の内容】
【請求項１】
１足のサンダルやスリッパなどの履き物の靴底において、左右どちらかの片足分の履き物の足裏全体の形に、
さらに前記片足分の親指から踵にかけての内側縁の部分を、足裏全体の形と相似の形として拡大し、その巾を適当な長さにした羽根の形をした部分を付けて１枚の靴底にした履き物で、
前記履き物を脱ぐ時に前記形状の羽根が内側縁の外に出ている部分を、
前記羽根の付いた靴底にしていない方の履き物の内側縁で踏むことにより、脱いだ履き物をきれいに揃えることができる、羽根を付けた靴底の履き物。
【手続補正２】
【補正対象書類名】特許請求の範囲
【補正対象項目名】請求項２
【補正方法】変更
【補正の内容】
【請求項２】
履き物の靴底の形状が、足の親指の第２関節から踵にかけての内側縁の部分において、
羽根の部分を踏まれた時に、脱ぐ履き物をきれいに揃える機能を果たすだけの大きさを有する、請求項１の、脱いだ履き物をきれいに揃えることができる、羽根を付けた靴底の履き物。
【手続補正３】
【補正対象書類名】特許請求の範囲
【補正対象項目名】請求項３
【補正方法】削除
【補正の内容】
【手続補正４】
【補正対象書類名】明細書
【補正対象項目名】全文
【補正方法】変更
【補正の内容】
【発明の詳細な説明】
【技術分野】
【０００１】  この発明は、トイレなどで使用した後、きれいに揃えて脱ぐことができるスリッパやサンダルなどの履き物に関するものである。【０００２】  従来、学校などのような所にある、たくさんの人が使うトイレで、入り口でスリッパやサンダルなどの履き物を履いて用を足した後、トイレの入り口で履き物を脱ぐとき、きれいに揃えて脱ぐのは難しかった。履き物を脱ぐところに、履き物の形をペンキなどでかたどり、そこに脱ぐように工夫はするが、揃えて脱ぐのは難しいものである。【０００３】
【特許文献１】  登録実用新案第３１２１６１３号
【発明の開示】
【発明が解決しようとする課題】
【０００４】履き物を揃えて脱ごうとしても、つい乱雑な扱いとなってしまう。揃えて脱ごうと気持ちを集中した時は、揃えて脱ぐことが可能になるが、いつもそんな集中ができるとは限らない。そこで、少しの注意できれいに揃えて脱げる履き物を考えた。
【課題を解決するための手段】
【０００５】一足の履き物において、左右どちらかの履き物の靴底の内側縁に羽根の形状をした部分を付け、前記履き物を脱ぐ時に前記羽根をもう一方の羽根を付けていない方の履き物の内側縁で踏んで、きれいに揃えて脱げることのできる履き物を作る。
【発明の効果】
【０００６】  学校などたくさんの人が使うトイレで、入り口でスリッパやサンダルなどの履き物を履いて用を定した後、トイレの入り口で履き物をきれいに揃えて脱ぐことができる。次にこのスリッパやサンダルなどの履き物を使う人が気持ちよく使える。また、見た目もきれいで、トイレの前を通る人の気分もよい。これらの事で日常生活の中に１つのしまりがつき、他の生活面にもよい影響が現れる。【０００７】スリッパやサンダルなどの履き物のうち、今回はスリッパの場合を考えてみる。スリッパの左右のどちらの靴底に羽根を付けてもよいのだが、いま仮に、左のスリッパが羽根の部分を持つ靴底となる場合を考える。靴底は、ビニルやポリプロピレンなどの合成樹脂や、ゴムなどの樹脂で成形する。スリッパの右は、一般的な形状のスリッパでよい。
羽根を持つ靴底の形は１足のスリッパに対して、図２の５のように左右のどちらか一方、この場合は左の足裏全体の形をまず型どりし、次に親指から踵にかけた内側縁を足裏の形と相似の形で拡大し、図２の４のように厚さ５ｍｍぐらい、その巾２．５ｃｍぐらい、長さは内側縁の親指先端から踵の末端までの羽根の形の部分を加えた１枚の靴底、図２の４たす５、を作る。【０００８】スリッパ本来の靴底の厚さが５ｍｍぐらい以上ある場合は、地面に接する羽根の分の厚さのみ５ｍｍぐらいとする。【０００９】今回、このスリッパを使用する時は、左のスリッパの本来の靴底に羽根の部分を付け加えて成形したので、図３のように羽根を付け加えていない右のスリッパの内側縁で、左のスリッパの内側縁の外の羽根４を踏んで、揃えて脱ぐ。【００１０】踏まれて履き物をきれいに揃える機能を十分に果たすだけの耐久性があれば、この靴底の羽根の部分の形は、図１の３ように、足の親指の第２関節から踵にかけての内側縁の部分で、形に変化を持たすことができる。  厚さ５ｍｍぐらい、その巾２．５ｃｍぐらい、長さは１２ｃｍぐらいの羽根の大きさとなる。
【図面の簡単な説明】
【００１１】
【図１】左のスリッパの靴底の内側縁に、本発明の機能的に必要な羽根の部分のみを加えた場合の斜視図。
【図２】左のスリッパで、足の内側縁に足裏を相似に拡大した羽根の部分と、足裏全体の部分とを加えた靴底を、裏から見た平面図。
【図３】図２のスリッパの斜視図。ただし、左右のスリッパで。
【符号の説明】
【００１２】１  スリッパ左
２  スリッパ右
３  機能を維持できるだけの形を持つ羽根の部分
４  靴底のうちの羽根の部分
５  靴底のうちの足裏全体の部分
【手続補正６】
【補正対象書類名】図面
【補正対象項目名】図２
【補正方法】変更
【補正の内容】
【図２】
2009056279.tif 000006
【手続補正７】
【補正対象書類名】図面
【補正対象項目名】図３
【補正方法】変更
【補正の内容】
【図３】
2009056279.tif 000007
【手続補正書】
【提出日】平成20年11月6日(2008.11.6)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
１足のサンダルやスリッパなどの履き物の靴底において、左右どちらかの片足分の履き物の足裏全体の形に、
さらに前記片足分の親指から踵にかけての内側縁の部分を、足裏全体の形と相似の形として拡大し、その巾を適当な長さにした羽根の形をした部分を付けて１枚の靴底にした履き物で、
前記履き物を脱ぐ時に前記形状の羽根が内側縁の外に出ている部分を、
前記羽根の付いた靴底にしていない方の履き物の内側縁で踏むことにより、脱いだ履き物をきれいに揃えることができる、羽根を付けた靴底の履き物。
【請求項２】
履き物の靴底の形状が、足の親指の第２関節から踵にかけての内側縁の部分において、
羽根の部分を踏まれた時に、脱ぐ履き物をきれいに揃える機能を果たすだけの大きさを有する、請求項１の、脱いだ履き物をきれいに揃えることができる、羽根を付けた靴底の履き物。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】